(57)【要約】【課題】打球の方向性および角度を一目で確認できる着脱容易なゴルフクラブ用方向認識棒を提供する。【解決手段】棒状である本体の一端部に永久磁石３を取り付け、又は磁性材料の少なくとも一端部を磁化した磁力発生部３と、その磁力発生部３から他端側に直線的に延長された方向指示部２とを備え、前記磁力発生部３においてゴルフクラブの磁性金属材料からなるフェース面１１又はフェース面の背後面１２に着脱可能に吸着されて、ゴルフクラブの使用時のスタンス状態、スイング状態又はストローク状態におけるフェース面１１の方向性を使用者に認識させる。【選択図】図１
0003120116.tif 000002
【実用新案登録請求の範囲】
【請求項１】
棒状をなし、一端部に永久磁石を取り付け、又は磁性材料の少なくとも一端部を磁化した磁力発生部と、
その磁力発生部から他端側に直線的に延長された方向指示部とを備え、
前記磁力発生部においてゴルフクラブの磁性金属材料からなるフェース面又はフェース面の背後面に着脱可能に吸着されて、ゴルフクラブの使用時のスタンス状態、スイング状態又はストローク状態におけるフェース面の方向性を使用者に認識させることを特徴とするゴルフクラブ用方向認識棒。
【請求項２】
棒状をなし、大径の一端部に永久磁石を嵌め込む凹部が形成されるとともに、その凹部に永久磁石が嵌め込まれて固定された磁力発生部と、
その前記磁力発生部より小径に形成されて、その磁力発生部から他端部へ直線的に延長された方向指示部とを備え、
前記磁力発生部においてゴルフクラブの磁性金属材料からなるフェース面又はフェース面の背後面に着脱可能に吸着されて、ゴルフクラブの使用時のスタンス状態、スイング状態又はストローク状態におけるフェース面の方向性を使用者に認識させることを特徴とするゴルフクラブ用方向認識棒。
【請求項３】
前記磁力発生部において、前記凹部の開口面と永久磁石の表面とが面一か、永久磁石の表面の方が該凹部の開口面より突出するようにされた請求項１または請求項２記載のゴルフクラブ用方向認識棒。
【請求項４】
永久磁石は、前記凹部に圧入されるとともに、その裏面が該凹部の底面に接着され、かつ、該凹部の外面が縮径するようにカシメられて、永久磁石が該凹部に強固に固定されている請求項１ないし請求項３のいずれか１項に記載のゴルフクラブ用方向認識棒。
【請求項５】
全体がアルミニウム又はアルミニウム合金等の非磁性金属材料又は樹脂等の非金属材料で形成され、それの前記凹部に永久磁石が固定されている請求項１ないし請求項４のいずれか１項に記載のゴルフクラブ用方向認識棒。
【請求項６】
アルミニウム又はアルミニウム合金等の非磁性金属材料又は樹脂等の非金属材料の表面に塗装が施されている請求項１ないし請求項５のいずれか１項に記載のゴルフクラブ用方向認識棒。
【請求項７】
前記磁力発生部から前記方向指示部に向けて連続的に外径が漸次減少する縮径部が形成され、該磁力発生部と該方向指示部がその縮径部を介して同心的に形成されている請求項１ないし請求項６のいずれか１項に記載のゴルフクラブ用方向認識棒。
【請求項８】
永久磁石の平坦な表面と、前記方向指示部とが直角の位置関係で配置されている請求項１ないし請求項７のいずれか１項に記載のゴルフクラブ用方向認識棒。
【考案の詳細な説明】
【技術分野】
【０００１】
本考案は、打球の方向性を一目で確認できるゴルフクラブに関する。
【背景技術】
【０００２】
一般に、ゴルフクラブで打球を打つ際に、打球の方向性が定まらないといった状態（曲がる：スライスやひっかけ、シャンクやプッシュアウト）があって、なかなか思い通りのところに打つ事ができない。そこで、打球の方向性が悪いのは、基本的にはフェースの向きが主な原因となっているが、フェースの向きが正しいかどうかは本人自身で判断できないものであった。
【０００３】
そこで、パターヘッドのフェース面と直交する方向指示棒をバックフェース側にネジで取り付けて、方向指示棒はボールの重心位置にくるように取り付ける構造を有したものが提案されている。（例えば、特許文献１参照）
【０００４】
また、一部のプレーヤの間では、ティーのヘッド面に両面テープを貼り付けて、これをアイアン等のフェース面に貼り付けることにより、フェース面の向きの良し悪しを把握するために使用していた。
【０００５】
【特許文献１】特開２００５−８７５５４
【考案の開示】
【考案が解決しようとする課題】
【０００６】
ところが、特許文献１に記載された方向指示棒は、ゴルフクラブのバックフェース面に方向指示棒を差し込む専用のネジ孔を空けるか、予めネジ孔が付加されているゴルフクラブを購入する必要がある。また、ネジで嵌合させるので、ユーザは方向指示棒を必要な時にすぐ脱着することができず、どのゴルフクラブでも取り付けが可能ではなかった。
さらに、ストローク状態のゴルフクラブのフェイス面のぶれを確認することが困難であった。
【０００７】
ティーのヘッド面に両面テープを貼り付けて、フェース面の角度を確認する方法においても、必ずしもティーのヘッド面とゴルフクラブのフェース面およびバックフェース面とを密着させることが出来るとは言い難いので、正確な打球の方向を把握することが難しく、また着脱の度に両面テープを切り貼りしなければならないので取り付けが面倒であった。
【０００８】
本考案は上記の事情を考慮して、打球の方向性および角度を一目で確認できる着脱容易なゴルフクラブ用方向認識棒を提供する。
【課題を解決するための手段および発明の効果】
【０００９】
請求項１記載のゴルフクラブ用方向認識棒は、棒状である本体の一端部に永久磁石を取り付け、又は磁性材料の少なくとも一端部を磁化した磁力発生部と、その磁力発生部から他端側に直線的に延長された方向指示部とを備え、磁力発生部においてゴルフクラブの磁性金属材料からなるフェース面又はフェース面の背後面に着脱可能に吸着されて、ゴルフクラブの使用時のスタンス状態、スイング状態又はストローク状態におけるフェース面の方向性を使用者に認識させることを特徴とする。請求項１記載のゴルフクラブ用方向認識棒によれば、事前に打球の方向および角度が容易に想像でき、また、永久磁石で吸着可能なので着脱が容易であるという効果がある。
【００１０】
請求項２記載のゴルフクラブ用方向認識棒は、棒状である本体の大径の一端部に永久磁石を嵌め込む凹部が形成されるとともに、その凹部に永久磁石が嵌め込まれて固定された磁力発生部と、その磁力発生部より小径に形成されて、その磁力発生部から他端部へ直線的に延長された方向指示部とを備え、磁力発生部においてゴルフクラブの磁性金属材料からなるフェース面又はフェース面の背後面に着脱可能に吸着されて、ゴルフクラブの使用時のスタンス状態、スイング状態又はストローク状態におけるフェース面の方向性を使用者に認識させることを特徴とする。請求項２記載のゴルフクラブ用方向認識棒によれば、方向認識棒本体の大径の一端部に永久磁石が嵌め込まれるので、取り付けた際の安定感が増すという効果と、方向指示部が小径であることにより視認性がよく軽量であるという効果がある。
【００１１】
請求項３記載のゴルフクラブ用方向認識棒は、請求項１または請求項２記載のゴルフクラブ用方向認識棒において、磁力発生部は、前記凹部の開口面と永久磁石の表面とが面一か、永久磁石の表面の方が凹部の開口面より突出するようにされたことを特徴とする。請求項３記載のゴルフクラブ用方向認識棒によれば、凹部の開口面と永久磁石の表面とが面一であることにより、取り付けた際の安定感が増す効果がある。さらに、永久磁石が凹部の開口面より突出することにより、フェース面への接点という意味で、取り付け位置に多少自由度が生じるという効果がある。
【００１２】
請求項４記載のゴルフクラブ用方向認識棒は、請求項１ないし請求項３記載のゴルフクラブ用方向認識棒において、永久磁石は、凹部に圧入されるとともに、その裏面が凹部の底面に接着され、かつ、凹部の外面が  永久磁石が凹部に強固に固定されていることを特徴とする。請求項４記載のゴルフクラブ用方向認識棒によれば、ゴルフクラブから取り外す際に、永久磁石の吸着力が勝り永久磁石が方向認識棒本体から外れることがないという効果がある。
【００１３】
請求項５記載のゴルフクラブ用方向認識棒は、請求項１ないし請求項４記載のゴルフクラブ用方向認識棒において、全体がアルミニウム又はアルミニウム合金等の非磁性金属材料又は樹脂等の非金属材料で形成され、それの前記凹部に永久磁石が固定されていることを特徴とする。請求項５記載のゴルフクラブ用方向認識棒によれば、軽量かつ錆びに強く、取り付け時に磁力発生部以外の部分が磁性を帯びないため、フェース面およびバックフェース面への取り付けが容易であり、また、組み立て工程での作業も容易であるという効果がある。
【００１４】
請求項６記載のゴルフクラブ用方向認識棒は、請求項１ないし請求項５記載のゴルフクラブ用方向認識棒において、アルミニウム又はアルミニウム合金等の非磁性金属材料又は樹脂等の非金属材料の表面に塗装が施されていることを特徴とする。請求項６記載のゴルフクラブ用方向認識棒によれば、高級感を出すという効果がある。
【００１５】
請求項７記載のゴルフクラブ用方向認識棒は、請求項１ないし請求項６記載のゴルフクラブ用方向認識棒において、磁力発生部から方向指示部に向けて連続的に外径が漸次減少する縮径部が形成され、磁力発生部と方向指示部がその縮径部を介して同心的に形成されていることを特徴とする。請求項７記載のゴルフクラブ用方向認識棒によれば、方向指示部かつ吸着部が同心円状なので、ユーザが見る角度によって外観が異なることがないので、視認性がよく、取り付けに手間取らないという効果がある。
【００１６】
請求項８記載のゴルフクラブ用方向認識棒は、請求項１ないし請求項７記載のゴルフクラブ用方向認識棒において、前記永久磁石の平坦な表面と、方向指示部とが直角の位置関係で配置されていることを特徴とする。請求項８記載のゴルフクラブ用方向認識棒によれば、フェース面の角度および向きが一目で確認できるという効果がある。
【考案を実施するための最良の形態】
【００１７】
打球の方向性および角度を一目で確認でき、ゴルフクラブのフェース面への着脱が容易にできるようにするという目的を、吸着に永久磁石を使用し、永久磁石の平坦な表面と方向指示部とを直角の位置関係で配置することによって達成した。
【実施例１】
【００１８】
以下に、本考案の実施形態について図面を参照しながら説明する。
図１は本考案のゴルフクラブ用方向認識棒の外観図である。この方向認識棒本体１は、棒状をなした一端部に永久磁石３を取り付けて、フェースおよびバックフェース吸着面４から方向指示部２に向けて連続的に外径が漸次減少する縮径部５が形成されており、フェースおよびバックフェース吸着面４と方向指示部２がその縮径部５を介して同心的に形成されている。そして、フェースおよびバックフェース吸着面４側には、大径９の一端部に永久磁石３を嵌め込む凹部１０が形成されるとともに、その凹部１０に永久磁石３が嵌め込まれて固定されたフェースおよびバックフェース吸着面４を形成し、凹部１０の外面が縮径するようにカシメ７られて永久磁石３が凹部１０に強固に固定される。他方、フェースおよびバックフェース吸着面４より小径に形成されて、そのフェースおよびバックフェース吸着面４から他端部へ直線的に延長されている方向指示部２が設けられ、この方向指示部２と永久磁石３の端面とが直角の位置関係で配置されている。
【００１９】
この方向認識棒本体１は、フェースおよびバックフェース吸着面４から方向指示部２に向けて連続的に外径が漸次減少する縮径部５により、丸みを帯びた形状になっている。このことにより縮径部５が汚れた場合の掃除が容易にできる。
【００２０】
図２は、図１をＡ−Ａで切った断面図である。方向認識棒本体１の凹部１０には、永久磁石３が装填されている。この状態で、方向指示部２と凹部１０および永久磁石３の端面とが直角の位置関係となるように形成される。
【００２１】
このゴルフクラブ用方向認識棒を構成するための方向認識棒本体１について、使用される部材を分解して製造可能の状態に配置した構成図を図３に示す。このゴルフクラブ用方向認識棒は、方向認識棒本体１と円柱状の永久磁石３とによって構成されている。また、永久磁石３は、円柱形状以外のものを使用して構成してもよい。
【００２２】
このような構成部品からなるゴルフクラブの方向認識棒は、方向認識棒本体１の凹部１０内に永久磁石３を取り付ける際に、永久磁石３の接着面６に接着剤を塗布してから圧入する。次に、大径部９の回りをカシメ機を使用してカシメ７にて縮径して形成される。このようにすることで、凹部１０から永久磁石３が外れて分離するといった事態を回避することができる。
【００２３】
また、方向認識棒本体１の凹部１０の径は、永久磁石３の径よりも多少大きく形成されている。また、永久磁石３を挿入するのに、圧入を用いないで手で挿入できる程度の凹部１０の径を設けることも可能である。しかし、凹部１０の径と永久磁石３との径の間に、あまり隙間ができないほうが強固に固定することができる。
【００２４】
さらに、方向認識棒本体１の材質がアルミニウム又はアルミニウム合金等の非磁性金属材料又は樹脂等の非金属材料で成型されているため、方向認識棒本体１の磁気発生部３以外が磁性を帯びることがないよう形成されている。
【００２５】
方向認識棒本体１の表面に塗装を施すことも可能である。例えば、シルバーやダークメタリック系の色を塗布することで、酸化防止や高級感をもたせることができる。
【００２６】
図４(a)は方向認識棒本体１に永久磁石３を圧入した図であり、図４(b)は大径部９をカシメ７にて縮径した図である。凹部１０の開口面と永久磁石３の表面が面一に形成されることにより、凹部１０の開口面がフェース面１１やバックフェース面１２と密着し、取り付けた際の安定感を増すことができる。
【００２７】
図５(a)は方向認識棒本体１に永久磁石３を圧入した図であり、図５(b)は大径部９をカシメ７にて縮径した図である。永久磁石３の表面の方が凹部１０の開口面より突出するように形成されることにより、永久磁石３だけがフェース面１１およびバックフェース面１２と密着することになるので、取り付け位置に多少の自由度を生じさせることができる。
【００２８】
図６(ａ)は、本考案品をアイアンのフェース面１１に取り付ける方法を示した図であり、図６(ｂ)は、実際に取り付けた状態図である。また、本考案品は、ゴルフクラブのフェース面１１およびバックフェース面１２が磁性を帯びるものであれば、どんな種類のゴルフクラブのフェース面についても使用することができる。
【００２９】
図７(ａ)は、本考案品をパターのフェース面１１に取り付ける方法を示した図であり、図７(ｂ)は実際に取り付けた状態図である。図７(ｃ)は、フェース面１１に本考案品を２本取り付けた状態図であり、これによりスイング状態、又は、ストローク状態でのゴルフクラブのフェイス面のぶれを視認することができる。図７(ｄ)は、バックフェース面１２に本考案品を取り付けた状態図であり、これによって打球の方向を確認することができる。また、本考案品は、ゴルフクラブのフェース面１１およびバックフェース面１２が磁性を帯びるものであれば、どんな種類のゴルフクラブのフェース面１１およびバックフェース面１２についても使用することができる。
【００３０】
図８は、本考案品の使用方法として示したものである。例えば、本考案品を取り付けたゴルフクラブのヘッドを置きスタンスを決め、アドレス時のフェース面１１が打球を飛ばそうとする方向に対して垂直であるかどうかのチェックや、かぶせ過ぎであるかどうか等のチェックを行うことができる。
【００３１】
図９は、図７(ｃ)の使用方法をダウンスイング工程で示したものであり、スイングにぶれがない場合を示したものである。まず、本考案品をゴルフクラブのフェース面１１に取り付ける際には、フェース面１１中央にゴルフボール１４が入る程度の間隔を空けて両サイドに２本取り付ける。そこでユーザがダウンスイングを実施していく過程でゴルフクラブのフェイス面１１にぶれがなければ、拡大図に示すように、ゴルフボール１４は本考案品２本の間に収まることになる。また、スイングにぶれがある場合は、本考案品の本体１にゴルフボール１４が衝突したり、本考案品２本の間の空間以外の箇所にゴルフボール１４が位置することになるので、ゴルフクラブのフェイス面１１がぶれた事が容易に判断できる。このように、スイング状態、又は、ストローク状態でのゴルフクラブのフェイス面１１がぶれるのを矯正するためにも使用することができる。
【実施例２】
【００３２】
図１０(a)は、本考案の実施例２に係るゴルフクラブ用方向認識棒であり、図１０(b)は、その断面図である。方向認識棒本体１は、フェースおよびバックフェース吸着面４と、方向指示部２とが同一径の円柱形状で形成されたものについても実施することができる。この場合にも、方向認識棒本体１のフェースおよびバックフェース吸着面４に該当する箇所に永久磁石３を圧入する凹部１０を設ける。また、取り付け方法は、実施例１に記載された内容と同じである。
【実施例３】
【００３３】
図１１(a)は、本考案の実施例３に係るゴルフクラブ用方向認識棒であり、図１１(b)は、その断面図である。方向認識棒本体１は、フェースおよびバックフェース吸着面４と、方向指示部２とが異なる径を有した二つの円柱形状のもので結合して形成されたものについても実施することができる。この場合にも、方向認識棒本体１のフェースおよびバックフェース吸着面４に該当する箇所に永久磁石３を圧入する凹部１０を設ける。また、取り付け方法は、実施例１に記載された内容と同じである。
【実施例４】
【００３４】
図１２(a)は、本考案の実施例４に係るゴルフクラブ用方向認識棒であり、図１２(b)は、その断面図である。方向認識棒本体１は、フェースおよびバックフェース吸着面４と、方向指示部２とが円錐形状で形成されたものについても実施することができる。この場合にも、方向認識棒本体１のフェースおよびバックフェース吸着面４に該当する箇所に永久磁石３を圧入する凹部１０を設ける。また、取り付け方法は、実施例１に記載された内容と同じである。
【実施例５】
【００３５】
図１３(a)は、本考案の実施例５に係るゴルフクラブ用方向認識棒であり、図１３(b)は、その断面図である。方向認識棒本体１は、材質が鉄、ニッケル等の磁性金属材料で、その凹部に永久磁石を固定して形成することもできる。また、方向認識棒本体１の表面に塗装を塗布することも可能である。
【図面の簡単な説明】
【００３６】
【図１】本考案品斜視図
【図２】本考案品Ａ−Ａ断面図
【図３】本考案品組み立て断面図
【図４】方向指示棒本体に永久磁石(面一)を組み込んだ断面図およびカシメ処理を施した断面図
【図５】方向指示棒本体に永久磁石(非面一)を組み込んだ断面図およびカシメ処理を施した断面図
【図６】本考案品をアイアンのフェース面に取り付ける方向図および取り付けた状態図
【図７】(a)本考案品をパターのフェース面に取り付ける方向図、(b)本考案品をパターのフェース面に取り付けた状態図、(c)本考案品をパターのフェース面に２本取り付けた状態図、(d)本考案品をパターのバックフェース面に取り付けた状態図
【図８】図６Ｂ使用状態図
【図９】図７Ｃ使用状態図
【図１０】実施例２の方向認識棒本体図および断面図
【図１１】実施例３の方向認識棒本体図および断面図
【図１２】実施例４の方向認識棒本体図および断面図
【図１３】実施例５の方向認識棒本体図および断面図
【符号の説明】
【００３７】
１  方向認識棒本体
２  方向指示部
３  永久磁石(磁力発生部)
４  ゴルフクラブフェース(バックフェース)吸着面
５  縮径部
６  接着面
７  カシメ
８  小径部
９  大径部
１０  凹部
１１  ゴルフクラブフェース面
１２  ゴルフクラブバックフェース面
１３  ゴルフクラブシャフト
１４  ゴルフボール
【図１】
0003120116.tif 000003
【図２】
0003120116.tif 000004
【図３】
0003120116.tif 000005
【図４】
0003120116.tif 000006
【図５】
0003120116.tif 000007
【図６】
0003120116.tif 000008
【図７】
0003120116.tif 000009
【図８】
0003120116.tif 000010
【図９】
0003120116.tif 000011
【図１０】
0003120116.tif 000012
【図１１】
0003120116.tif 000013
【図１２】
0003120116.tif 000014
【図１３】
0003120116.tif 000015